(57)【特許請求の範囲】
【請求項１】
色温度が異なる複数個の基準照明光の撮像により得られた複数個の色温度検出信号の値を記憶する第１の記憶手段と、前記基準照明光を撮影した場合の色温度検出信号と所定の光源でネガフィルムを撮影した場合の色温度検出信号とのずれ量を記憶する第２の記憶手段と、前記第１の記憶手段に記憶した前記複数個の色温度検出信号の値を基に色温度検出軸を求め，この色温度検出軸を、前記第２の記憶手段に記憶している前記ずれ量だけずらしてネガ用色温度検出軸を求め、このネガ用色温度検出軸を基に色温度を検出する検出手段と、この検出手段の出力に基づいて制御信号を演算する演算手段と、この演算手段の出力に基づいて、映像信号処理系に配されているホワイトバランス調整用アンプのゲインを制御する制御手段とを具備することを特徴とするオートホワイトバランス装置。
【請求項２】
基準色温度を有する基準照明光源に複数個の色温度変換フィルタを付け変えて複数個の基準照明光源とし、ビデオカメラで複数個の基準照明光を撮影して複数個の色温度検出信号を求めこれらから色温度検出軸を近似すること、及び、前記ビデオカメラで所定の光源下のネガフィルムを撮影して色温度検出信号を求め、この色温度検出信号からネガ用色温度検出軸を求め、このネガ用色温度検出軸と前記色温度検出軸とのずれ量を計算することを含む工程を複数台のビデオカメラについて行うこと；
複数台の前記ビデオカメラについて行って得られた前記ずれ量の平均値を求めること；
前記近似した色温度検出軸の最大値と最小値との差に対する前記平均値の比率を求めること；
この比率を基準照明光と所定の光源との間での色温度検出信号のずれを補正するためのずれ量とすること；
を特徴とするビデオカメラの製造方法。
【請求項３】
請求項２記載のビデオカメラの製造方法で得られたずれ量を、第２の記憶手段に記憶したことを特徴とする請求項１記載のオートホワイトバランス装置。
【請求項４】
色温度が異なる複数個の基準照明光の撮像により得られたホワイトバランス調整用アンプのゲイン制御用の複数個の制御信号の値を記憶する第１の記憶手段と、前記基準照明光を撮影した場合の制御信号と所定の光源でネガフィルムを撮影した場合の制御信号とのずれ量を記憶する第２の記憶手段と、前記第１の記憶手段に記憶した前記複数個の制御信号の値を基に色温度制御軸を求め、この色温度制御軸を、前記第２の記憶手段に記憶している前記ずれ量だけずらしてネガ撮影用色温度制御軸を求め、このネガ撮影用色温度制御軸を基に制御信号を演算する演算手段と、この演算手段の出力に基づいて、映像信号処理系に配されているホワイトバランス調整用アンプのゲインを制御する制御手段とを具備することを特徴とするオートホワイトバランス装置。
【請求項５】
基準色温度を有する基準照明光源に複数個の色温度変換フィルタを付け変えて複数個の基準照明光源とし、ビデオカメラで複数個の基準照明光を撮影してホワイトバランス調整用アンプのゲイン制御用の複数個の制御信号を求めこれらから色温度制御軸を近似すること、及び、前記ビデオカメラで所定の光源下のネガフィルムを撮影して制御信号を求め、この制御信号からネガ撮影用色温度制御軸を求め、このネガ撮影用色温度制御軸と前記色温度制御軸とのずれ量を計算することを含む工程を複数台のビデオカメラについて行うこと；
複数台の前記ビデオカメラについて行って得られた前記ずれ量の平均値を求めること；
前記近似した色温度制御軸の最大値と最小値との差に対する前記平均値の比率を求めること；
この比率を基準照明光と所定の光源との間での制御信号のずれを補正するためのずれ量とすること；
を特徴とするビデオカメラの製造方法。
【請求項６】
請求項５記載のビデオカメラの製造方法で得られたずれ量を、第２の記憶手段に記憶したことを特徴とする請求項４記載のオートホワイトバランス装置。
【発明の詳細な説明】
【０００１】
【産業上の利用分野】
本発明はネガフィルム画像の取り込み機能を有するビデオカメラに関し、特に、そのホワイトバランス制御の色温度検出、色温度制御に関する。
【０００２】
【従来の技術】
通常のビデオカメラのホワイトバランス制御においては、その検出範囲及び制御範囲が太陽光や電球・蛍光灯下での被写体の撮影に適合するように調整されており、調整時にはこれら太陽光や電球・蛍光灯に近似した基準照明光が用いられている。
【０００３】
しかし、ネガフィルムの画像をビデオカメラで取り込む場合は、下記▲１▼〜▲３▼の特殊事情が原因で、通常のビデオカメラのホワイトバランス制御とは検出値も制御値も大きく異なり、且つ、ばらつきも多い。
▲１▼  フィルム自体にオレンジ系のベース着色がなされており、その色もフィルムの種類によって大きく異なる。
▲２▼  ネガフィルム画像をビデオカメラで取り込む場合の光源の種類が多い。
▲３▼  銀塩カメラで撮影を行った時の色温度が不明である。
【０００４】
そのため、ビデオカメラでネガフィルム画像を取り込んでホワイトバランス制御を行う場合は、通常のビデオカメラのホワイトバランス制御とは別に、検出範囲及び制御範囲を特別に設定する必要がある。
【０００５】
また、これら検出範囲及び制御範囲を設定するための調整時には、通常のビデオカメラの調整用基準照明光とは別に、ネガフィルム画像専用の光源を用いる必要がある。
【０００６】
【発明が解決しようとする課題】
そこで本発明の課題は、通常のビデオカメラと同じ基準照明光を用いてネガフィルム画像の取り込みに適合した検出範囲、制御範囲を調整することが可能なオートホワイトバランス装置及びビデオカメラの製造方法を提供することにある。
【０００７】
【課題を解決するための手段】
上記課題を解決する請求項１の発明に係るオートホワイトバランス装置の構成は、色温度が異なる複数個の基準照明光の撮像により得られた複数個の色温度検出信号の値を記憶する第１の記憶手段と、前記基準照明光を撮影した場合の色温度検出信号と所定の光源でネガフィルムを撮影した場合の色温度検出信号とのずれ量を記憶する第２の記憶手段と、前記第１の記憶手段に記憶した前記複数個の色温度検出信号の値を基に色温度検出軸を求め，この色温度検出軸を、前記第２の記憶手段に記憶している前記ずれ量だけずらしてネガ用色温度検出軸を求め、このネガ用色温度検出軸を基に色温度を検出する検出手段と、この検出手段の出力に基づいて制御信号を演算する演算手段と、この演算手段の出力に基づいて、映像信号処理系に配されているホワイトバランス調整用アンプのゲインを制御する制御手段とを具備することを特徴とする。
【０００８】
また、請求項２の発明に係るビデオカメラの製造方法は基準色温度を有する基準照明光源に複数個の色温度変換フィルタを付け変えて複数個の基準照明光源とし、ビデオカメラで複数個の基準照明光を撮影して複数個の色温度検出信号を求めこれらから色温度検出軸を近似すること、及び、前記ビデオカメラで所定の光源下のネガフィルムを撮影して色温度検出信号を求め、この色温度検出信号からネガ用色温度検出軸を求め、このネガ用色温度検出軸と前記色温度検出軸とのずれ量を計算することを含む工程を複数台のビデオカメラについて行うこと；
複数台の前記ビデオカメラについて行って得られた前記ずれ量の平均値を求めること；
前記近似した色温度検出軸の最大値と最小値との差に対する前記平均値の比率を求めること；
この比率を基準照明光と所定の光源との間での色温度検出信号のずれを補正するためのずれ量とすること；
を特徴とする。
【０００９】
また、請求項３の発明に係るオートホワイトバランス装置は、請求項２の発明のビデオカメラの製造方法で得られたずれ量を、第２の記憶手段に記憶したことを特徴とするものである。
【００１０】
次に、請求項４の発明に係るオートホワイトバランス装置は、色温度が異なる複数個の基準照明光の撮像により得られたホワイトバランス調整用アンプのゲイン制御用の複数個の制御信号の値を記憶する第１の記憶手段と、前記基準照明光を撮影した場合の制御信号と所定の光源でネガフィルムを撮影した場合の制御信号とのずれ量を記憶する第２の記憶手段と、前記第１の記憶手段に記憶した前記複数個の制御信号の値を基に色温度制御軸を求め、この色温度制御軸を、前記第２の記憶手段に記憶している前記ずれ量だけずらしてネガ撮影用色温度制御軸を求め、このネガ撮影用色温度制御軸を基に制御信号を演算する演算手段と、この演算手段の出力に基づいて、映像信号処理系に配されているホワイトバランス調整用アンプのゲインを制御する制御手段とを具備することを特徴とする。
【００１１】
また、請求項５の発明に係るビデオカメラの製造方法は、基準色温度を有する基準照明光源に複数個の色温度変換フィルタを付け変えて複数個の基準照明光源とし、ビデオカメラで複数個の基準照明光を撮影してホワイトバランス調整用アンプのゲイン制御用の複数個の制御信号を求めこれらから色温度制御軸を近似すること、及び、前記ビデオカメラで所定の光源下のネガフィルムを撮影して制御信号を求め、この制御信号からネガ撮影用色温度制御軸を求め、このネガ撮影用色温度制御軸と前記色温度制御軸とのずれ量を計算することを含む工程を複数台のビデオカメラについて行うこと；
複数台の前記ビデオカメラについて行って得られた前記ずれ量の平均値を求めること；
前記近似した色温度制御軸の最大値と最小値との差に対する前記平均値の比率を求めること；
この比率を基準照明光と所定の光源との間での制御信号のずれを補正するためのずれ量とすること；
を特徴とする。
【００１２】
更に、請求項６の発明に係るオートホワイトバランス装置は、請求項５の発明のビデオカメラの製造方法で得られたずれ量を、第２の記憶手段に記憶したことを特徴とするものである。
【００１３】
【作用】
本発明では、基準照明光として色温度の異なるものを複数個用い、その時得られる各色温度検出信号の値を予め第１の記憶手段に記憶しておき、且つ、これら各色温度検出信号と、所定の光源でネガフィルム画像を取り込んだ場合の各温度検出信号とのずれ量も予め第２の記憶手段に記憶しておく。
【００１４】
そして実際にネガフィルム画像を取り込む際には、第１の記憶手段と第２の記憶手段に記憶された内容に基づいて温度検出軸をずらして色温度を検出し、この検出した色温度に基づいてホワイトバランス調整用アンプのゲインを制御する。
【００１５】
また本発明では、基準照明光として色温度の異なるものを複数個用い、その時得られるホワイトバランス調整用アンプのゲイン制御用の各制御信号の値を予め第１の記憶手段に記憶しておき、且つ、これら各制御信号と、所定の光源でネガフィルム画像を取り込んだ場合の制御信号とのずれ量も予め第２の記憶手段に記憶しておく。
【００１６】
そして実際にネガフィルム画像を取り込む際には、第１の記憶手段と第２の記憶手段に記憶された内容に基づいて温度制御軸をずらして制御信号を演算し、この演算で得た制御信号に基づいてホワイトバランス調整用アンプのゲインを制御する。
【００１７】
このように、複数の基準照明光と所定の光源とを用いた場合の色温度検出信号または制御信号のずれ量を予め記憶しておき、実際にネガフィルム画像を取り込む際に、このずれ量により色温度検出領域または色温度制御領域をずらして色温度を検出したり、制御信号を求めることにより、各基準照明光の色温度が特別に限定されることはなくなるから、通常のビデオカメラ調整用の基準照明光を用いてネガフィルム画像の取り込み機能を有するビデオカメラのオートホワイトバランス装置を調整することができる。
【００１８】
特に、基準照明光として色温度の異なるもの複数個を用い、その時得られる信号の最大値と最小値との差を基準例えば１００％とし、所定の光源における色信号の検出値及び制御値のずれ量を、前記差に対する比率例えばパーセント表示として記憶することにより、個々のビデオカメラのオートホワイトバランス装置の色温度検出領域及び色温度制御領域を前記比率で補正すると、検出系のばらつきや、基準照明光による近似により生じるフィードフォワード制御の誤差を実用上十分な程度に低減することができる。
【００１９】
【実施例】
以下、本発明の実施例を図面に基づいて説明する。
＜第１実施例＞
図１〜図５は本発明の第１実施例を示す。図１はネガフィルム画像の取り込み機能を有するビデオカメラの撮像系を示す回路図である。本実施例は、補色フィルタを使用したＣＣＤの場合について述べる。同図に示すようにレンズ１により形成された光学像が補色フィルタ内蔵のＣＣＤ３の受光面に結像され、ＣＣＤ３からは撮像信号Ｓが出力される。撮像信号Ｓは、サンプルホールド及びＡＧＣ回路５にてサンプルホールド処理及びゲイン調整され、更にＡ／Ｄコンバータ７によりデジタル信号に変換されてから、信号処理回路部９の輝度信号処理回路１１及び色分離回路１３と、色分離回路１５に入力される。
【００２０】
輝度信号処理回路１１は、信号処理によりデジタルの輝度信号ＤＹを作って出力し、この輝度信号ＤＹはネガ用反転回路１００を通って反転された後、Ｄ／Ａコンバータ１７によりアナログの輝度信号Ｙに変換されて出力される。色分離回路１３は、信号処理により三種の原色信号Ｒ，Ｇ，Ｂを作って出力する。原色信号Ｒ，Ｇ，Ｂは、ホワイトバランス制御信号Ｒcont，Ｂcontに応じホワイトバランス回路１９にてホワイトバランス制御（ゲイン調整）され、ホワイトバランス制御された原色信号Ｒ，Ｇ，Ｂは色信号処理回路２１により信号処理されてデジタルの色信号ＤＣとなる。この色信号ＤＣは、ネガ用反転回路２００を通って反転された後、Ｄ／Ａコンバータ２３によりアナログの色信号Ｃに変換されて出力される。
【００２１】
前記色分離回路１５は信号処理をしてデジタルの輝度信号Ｙ及び色合成信号Ｃr ，Ｃb を出力する。この色分離回路１５の後段には、積分器２７及びマイクロコンピュータ２９が接続されている。マイクロコンピュータ２９には、演算部３１、演算部３３、色温度検出領域の判断部３５、制御値の演算部３７、及び記憶部３９がある。
【００２２】
マイクロコンピュータ２９での基本動作は図２に示すものであり、積分器２７からのＹ，Ｃr ，Ｃb の各積算値を演算部３１が入力してＲ，Ｇ，Ｂ各色信号を計算し、これから演算部３３で色温度検出値としてＲ／Ｇ，Ｂ／Ｇを計算し、この計算値が所定の色温度検出領域（色温度検出軸あるいは色温度検出点を含む）に存在するか否かを判断部３５で判断し、存在すればネガ用光源下での撮像なので演算部３７にてＲ／Ｇ，Ｂ／Ｇの計算値からネガ用光源用に設定した色温度制御軸に基づいてＲ用制御値ＲcontとＢ用制御値Ｂcontを計算し、これら制御値をホワイトバランス回路１９に与えてそのアンプのゲインを制御する。
【００２３】
この基本動作に加えて、記憶部３９にはネガフィルム画像の取り込み用に、色温度検出軸のＲ／Ｇずらし量α（％）と、Ｂ／Ｇ用ずらしβ（％）とが記憶されており、判断部３５はこれらの％表示のずらし量α，βを用いて色温度検出軸をずらして色温度Ｒ／Ｇ，Ｂ／Ｇを検出し、演算部３７に与える。
【００２４】
ずらし量α，β（％）は多数のビデオカメラを用いて実験により求める。図３はずらし量α，βの決定手順を示し、まず１台のビデオカメラについて、例えば３２００Ｋの基準照明光を撮像してＲ／Ｇ，Ｂ／Ｇのデータを取り、次いでこの基準照明光に例えば４０００Ｋの第１色温度変換フィルタを付けてＲ／Ｇ，Ｂ／Ｇのデータを取り、更に例えば７５００Ｋの第２色温度変換フィルタを付けてＲ／Ｇ，Ｂ／Ｇのデータを取り、これら３点のデータから図５に示すような色温度検出軸４１を近似する。次に、所定の光源下でネガフィルムを撮像してＲ／Ｇ，Ｂ／Ｇのデータを取り、それぞれについて基準照明光で近似した色温度検出軸とのずれ量を計算する。このようなデータ取りを多数Ｎ台のビデオカメラについて行ったのち、Ｎ個のずれ量の平均α，βを決定し、この平均ずれ量α，βを、色温度検出軸のＲ／Ｇ，Ｂ／Ｇ夫々について最大値と最小値の差を１００％とした％で表示する。
【００２５】
このように決定したずらし量α，β（％）を、個々のビデオカメラの製造時に、記憶部３９に記憶させる。
【００２６】
製造時における個々のビデオカメラのネガ用ホワイトバランス調整の一例としては、図４に示す通りであり、まず３２００Ｋの基準照明光を撮像しＲ／Ｇ，Ｂ／Ｇのデータを取る。これは図５中のＡ点のデータ（ａ１，ｂ１）である。次に、第１色温度変換フィルタを基準照明光に付けて撮像し、Ｒ／Ｇ，Ｂ／Ｇのデータを取る。これは図５中のＢ点のデータ（ａ２，ｂ２）である。次に、第２色温度変換フィルタを付けて撮像し、Ｒ／Ｇ，Ｂ／Ｇのデータを取る。これは図５中のＣ点のデータ（ａ３，ｂ３）である。これらのデータはマイクロコンピュータ２９の図示しない記憶部に記憶しておく。これら記憶したデータから判断部３５は図５の色温度検出軸４１を近似し、更に、この色温度検出軸４１を、図５に示すように記憶部３９に記憶したずらし量α１％、α２％、β１％、β２％を用いてＮ１，Ｎ２の如くずらし、当該ビデオカメラのネガ用色温度検出軸４３として決定する。
【００２７】
図５において、各移動点Ｎ１（ａ４，ｂ４）、Ｎ２（ａ５，ｂ５）は次のように表わされる。
ａ４＝ａ３＋（ａ１−ａ３）×（α１／１００）
ｂ４＝ｂ１＋（ｂ３−ｂ１）×（β１／１００）
ａ５＝ａ３＋（ａ１−ａ３）×（α２／１００）
ｂ５＝ｂ１＋（ｂ３−ｂ１）×（β２／１００）
但し、
α１＝１００（ａ４−ａ３）／（ａ１−ａ３）
β１＝１００（ｂ４−ｂ１）／（ｂ３−ｂ１）
α２＝１００（ａ５−ａ３）／（ａ１−ａ３）
β２＝１００（ｂ５−ｂ１）／（ｂ３−ｂ１）
【００２８】
色温度検出軸４３は図５の如く線だけではなく、ネガの種類、ネガ撮像用光源の種類、ネガ撮像時の色温度など色がばらつく要因が大きいため、領域３００の如くばらつきを考慮してある程度の幅を持たせても良い。もちろん、これらの条件を限定できれば領域３００の代りに軸４３を用いて色温度を検出できるので、ホワイトバランス制御の性能が向上する。更に、ずれ量α，β（％）は一機種について一旦決定すれば、マイクロコンピュータ２９のソフトウェアに定数として書き込んでも良く、あるいはＥＥＰＲＯＭ（Electrical Erasable Programable Read Only Memory) に書き込んで変更可能としても良い。
【００２９】
以上の如く、Ａ，Ｂ，Ｃ各点のＲ／Ｇ，Ｂ／Ｇのうち最大値と最小値の差を１００％として、基準照明光に対するずれ量を％表示で予め決定しておくことにより、個々のＣＣＤの補色フィルタ等にばらつきがあっても％表示したずれ量はほぼ一定であることから、％表示のずれ量により補正することにより、ＣＣＤ等のばらつきによる影響を押えることができ、良好なフィードフォワード方式のホワイトバランス制御が可能である。
【００３０】
＜第２実施例＞
図６〜図９は本発明の第２実施例を示す。図６はネガフィルム画像の取り込み機能を有するビデオカメラの撮像系を示す回路図であり、図１に対して、マイクロコンピュータ２９に記憶部３９Ａが追加されている点と、演算部３７に新機能が追加されている点以外は同じである。
【００３１】
マイクロコンピュータ２９では、図２に示した基本動作に加えて、記憶部３９Ａに色温度制御軸のＲcont用ずらし量α（％）と、Ｂcont用ずらし量β（％）とが記憶されており、演算部３７はこれらの％表示のずらし量α，βを用いて色温度制御軸をずらして制御値Ｒcont，Ｂcontを計算しホワイトバランス回路１９に与える。
【００３２】
ずらし量α，β（％）は多数のビデオカメラを用いて実験により求める。図７はずらし量α，βの決定手順を示し、まず１台のビデオカメラについて、例えば３２００Ｋの基準照明光を撮像してＲｃｏｎｔ，Ｂｃｏｎｔのデータを取り、次いでこの基準照明光に例えば４０００Ｋの第１色温度変換フィルタを付けてＲｃｏｎｔ，Ｂｃｏｎｔのデータを取り、更に例えば７５００Ｋの第２色温度変換フィルタを付けてＲｃｏｎｔ，Ｂｃｏｎｔのデータを取り、これら３点のデータから図９に示すような基準照明光に対する色温度制御軸４５を近似する。次に、実際にネガ用光源下でネガフィルムを撮像してＲｃｏｎｔ，Ｂｃｏｎｔのデータを取り、それぞれについて基準照明光で近似した色温度と実際の太陽光の色温度制御軸のずれ量を計算する。このようなデータ取りをＮ台のビデオカメラについて行ったのち、Ｎ個のずれ量の平均α，βを決定し、この平均ずれ量α，βを、色温度制御軸のＲｃｏｎｔ，Ｂｃｏｎｔ夫々について最大値と最小値の差を１００％とした％で表示する。
【００３３】
このように決定したずらし量α，β（％）を、個々のビデオカメラの製造時に、記憶部３９Ａに記憶させる。
【００３４】
製造時における個々のビデオカメラのホワイトバランス調整としては、図８に示す通りであり、まず３２００Ｋの基準照明光を撮像しＲcont，Ｂcontのデータを取る。これは図９中のＡ点のデータ（ａ５，ｂ５）である。次に、第１色温度変換フィルタを基準照明光に付けて撮像し、Ｒcont，Ｂcontのデータを取る。これは図９中のＢ点のデータ（ａ６，ｂ６）である。次に、第２色温度変換フィルタを付けて撮像し、Ｒcont，Ｂcontのデータを取る。これは図９中のＣ点のデータ（ａ７，ｂ７）である。これらのデータはマイクロコンピュータ２９の図示しない記憶部に記憶しておく。これら記憶したデータから演算部３７は図９の色温度制御軸４５を近似し、更に、この色温度制御軸４５を、図９に示すように記憶部３９Ａに記憶したずらし量α１％、α２％、β１％、β２％を用いてＮ１，Ｎ２の如くずらし、当該ビデオカメラのネガ撮影用色温度制御軸４７として決定する。
【００３５】
図９において、色温度変化軸がＡ−Ｂ−ＣからＮ１−Ｎ２へ移動する場合は、各移動点Ｎ１（ａ８，ｂ８）、Ｎ２（ａ９，ｂ９）は次のように表わされる。
ａ８＝ａ５＋（ａ７−ａ５）×（α１／１００）
ｂ８＝ｂ７＋（ｂ５−ｂ７）×（β１／１００）
ａ９＝ａ５＋（ａ７−ａ５）×（α２／１００）
ｂ９＝ｂ７＋（ｂ５−ｂ７）×（β２／１００）
但し、
α１＝１００（ａ８−ａ５）／（ａ７−ａ５）
β１＝１００（ｂ８−ｂ７）／（ｂ５−ｂ７）
α２＝１００（ａ９−ａ５）／（ａ７−ａ５）
β２＝１００（ｂ９−ｂ７）／（ｂ５−ｂ７）
【００３６】
色温度制御軸４７は図９の如く線だけではなく、ネガの種類、ネガ撮像用光源の種類、ネガ撮像時の色温度など色がばらつく要因が大きいため、領域４００の如くばらつきを考慮してある程度の幅を持たせても良い。もちろん、これらの条件を特定できれば領域４００の代りに軸４７を用いて制御できるので、ホワイトバランス性能が向上する。更に、ずれ量α，β（％）は一機種について一旦決定すれば、マイクロコンピュータ２９のソフトウェアに定数として書き込んでも良く、あるいはＥＥＰＲＯＭ（Electrical Erasable Programable Read Only Memory) に書き込んで変更可能としても良い。変更可能な場合には、個々のビデオカメラ毎にホワイトバランスが可変にる。
【００３７】
以上の如く、Ａ，Ｂ，Ｃ各点のＲcont，Ｂcontのうち最大値と最小値の差を１００％として、基準照明光に対するずれ量を％表示で予め決定しておくことにより、個々のＣＣＤの色フィルタにばらつきがあっても％表示したずれ量はほぼ一定であることから、％表示のずれ量により補正することにより、ＣＣＤ等のばらつきによる影響を押えることができ、良好なフィードフォワード方式のホワイトバランス制御が可能である。
【００３８】
上記第１，第２各実施例では色信号系のネガ用反転処理（２００）を通常のビデオカメラ用の信号処理（２１）が終わった後に行っているが、色分離（１３）の後であればどこで行っても良い。
【００３９】
また、上記第１，第２各実施例ではフィードフォワード方式について述べているが、フィードバック方式のものでも同様の効果が得られる。
【００４０】
【発明の効果】
請求項１の発明によれば、通常のビデオカメラの調整用と同じ光源を利用してネガフィルム画像用のホワイトバランス制御の色温度検出軸または領域を調整時に設定することができる。
【００４１】
また、請求項２及び３の発明によれば、ＣＣＤ等の撮像素子の特性のばらつき、調整時の基準照明光と実際のネガ撮影用の光源間の色温度のずれなど、これらに影響されない色温度検出軸または領域を有するホワイトバランス制御が可能である。
【００４２】
請求項４の発明によれば、通常のビデオカメラの調整用と同じ光源を利用してネガフィルム画像用のホワイトバランス制御の色温度制御軸または領域を調整時に設定することができる。
【００４３】
また、請求項５及び６の発明によれば、ＣＣＤ等の撮像素子の特性のばらつき、調整時の基準照明光と実際のネガ撮影用の光源間の色温度のずれなど、これらに影響されない色温度制御軸または領域を有するホワイトバランス制御が可能である。
【図面の簡単な説明】
【図１】本発明の第１実施例のビデオカメラの回路図。
【図２】マイクロコンピュータの基本制御動作を示す図。
【図３】色温度検出軸のずれ量の決定手順を示す図。
【図４】色温度検出領域の決定手順を示す図。
【図５】色温度検出領域を示す図。
【図６】本発明の第２実施例のビデオカメラを示す回路図。
【図７】色温度制御軸のずれ量の決定手順を示す図。
【図８】色温度制御軸の決定手順を示す図。
【図９】色温度制御軸を示す図。
【符号の説明】
３  ＣＣＤ
１６  色分離回路
１９  ホワイトバランス回路
２９  マイクロコンピュータ
３１  Ｒ，Ｇ，Ｂ演算部
３３  Ｒ／Ｇ，Ｂ／Ｇ演算部
３５  色温度検出領域判断部
３７  制御演算部
３９，３９Ａ  記憶部
１００，２００  ネガ用反転回路
【図１】
0003701043.tif 000002
【図２】
0003701043.tif 000003
【図３】
0003701043.tif 000004
【図４】
0003701043.tif 000005
【図５】
0003701043.tif 000006
【図６】
0003701043.tif 000007
【図７】
0003701043.tif 000008
【図８】
0003701043.tif 000009
【図９】
0003701043.tif 000010